(57)【特許請求の範囲】
【請求項１】
無線通信システムにおいて機器によってフィードバック情報を伝送する方法であって、前記方法は、
固定のステーションである前記機器によってレンジング要請メッセージを基地局に伝送することであって、前記レンジング要請メッセージは、多重入出力（ＭＩＭＯ）技法のために使用される前記フィードバック情報を含む、ことと、
前記レンジング要請メッセージに応答して前記基地局からレンジング応答メッセージを受信することと
を含む、方法。
【請求項２】
前記機器は、別の機器との通信を行うために必ずしも人間の相互作用を必要としない機器間通信（Ｍ２Ｍ）機器である、請求項１に記載の方法。
【請求項３】
前記レンジング要請を伝送する前に、ネットワーク進入またはネットワーク再進入を始めるために、前記機器によってレンジングコードを前記基地局に伝送することをさらに含む、請求項１に記載の方法。
【請求項４】
前記フィードバック情報は、ＣＱＩ（ｃｈａｎｎｅｌ  ｑｕａｌｉｔｙ  ｉｎｄｉｃａｔｏｒ）、ＰＭＩ（ｐｒｅｆｅｒｒｅｄ  ｍａｔｒｉｘ  ｉｎｄｅｘ）及びＳＴＣ（ｓｐａｃｅ  ｔｉｍｅ  ｃｏｄｉｎｇ）のうちの少なくとも１つを含む、請求項１に記載の方法。
【請求項５】
前記フィードバック情報は、前記機器によって使用されるＭＩＭＯフィードバックモード（ＭＦＭ）を示すＭＦＭビットマップを含む、請求項１に記載の方法。
【請求項６】
１番目の最下位ビット（ＬＳＢ）が「１」と等しい場合、前記フィードバック情報は、全帯域にわたるＣＱＩ（ｃｈａｎｎｅｌ  ｑｕａｌｉｔｙ  ｉｎｄｉｃａｔｏｒ）の平均値を示すワイドバンドＣＱＩと、前記全帯域にわたるＳＴＣ（ｓｐａｃｅ  ｔｉｍｅ  ｃｏｄｉｎｇ）レートを示すワイドバンドＳＴＣとをさらに含む、請求項５に記載の方法。
【請求項７】
２番目の最下位ビット（ＬＳＢ）が「１」と等しい場合、前記フィードバック情報は、全帯域にわたるＣＱＩ（ｃｈａｎｎｅｌ  ｑｕａｌｉｔｙ  ｉｎｄｉｃａｔｏｒ）の平均値を示すワイドバンドＣＱＩと、前記全帯域にわたるＳＴＣ（ｓｐａｃｅ  ｔｉｍｅ  ｃｏｄｉｎｇ）レートを示すワイドバンドＳＴＣと、前記全帯域にわたるＰＭＩ（ｐｒｅｆｅｒｒｅｄ  ｍａｔｒｉｘ  ｉｎｄｅｘ）を示すワイドバンドＰＭＩとをさらに含む、請求項５に記載の方法。
【請求項８】
無線通信システムにおいてフィードバック情報を伝送する機器であって、前記機器は、
レンジング要請メッセージを基地局に伝送するように構成された送信器であって、前記レンジング要請メッセージは、多重入出力（ＭＩＭＯ）技法のために使用される前記フィードバック情報を含み、前記機器は、固定のステーションである、送信器と、
前記レンジング要請メッセージに応答して前記基地局からレンジング応答メッセージを受信するように構成された受信器と
を含む、機器。
【請求項９】
前記機器は、別の機器との通信を行うために必ずしも人間の相互作用を必要としない機器間通信（Ｍ２Ｍ）機器である、請求項８に記載の機器。
【請求項１０】
前記フィードバック情報は、ＣＱＩ（ｃｈａｎｎｅｌ  ｑｕａｌｉｔｙ  ｉｎｄｉｃａｔｏｒ）、ＰＭＩ（ｐｒｅｆｅｒｒｅｄ  ｍａｔｒｉｘ  ｉｎｄｅｘ）及びＳＴＣ（ｓｐａｃｅ  ｔｉｍｅ  ｃｏｄｉｎｇ）のうちの少なくとも１つを含む、請求項８に記載の機器。
【請求項１１】
前記フィードバック情報は、前記機器によって使用されるＭＩＭＯフィードバックモード（ＭＦＭ）を示すＭＦＭビットマップを含む、請求項８に記載の機器。
【請求項１２】
１番目の最下位ビット（ＬＳＢ）が「１」と等しい場合、前記フィードバック情報は、全帯域にわたるＣＱＩ（ｃｈａｎｎｅｌ  ｑｕａｌｉｔｙ  ｉｎｄｉｃａｔｏｒ）の平均値を示すワイドバンドＣＱＩと、前記全帯域にわたるＳＴＣ（ｓｐａｃｅ  ｔｉｍｅ  ｃｏｄｉｎｇ）レートを示すワイドバンドＳＴＣとをさらに含む、請求項１１に記載の機器。
【請求項１３】
２番目の最下位ビット（ＬＳＢ）が「１」と等しい場合、前記フィードバック情報は、全帯域にわたるＣＱＩ（ｃｈａｎｎｅｌ  ｑｕａｌｉｔｙ  ｉｎｄｉｃａｔｏｒ）の平均値を示すワイドバンドＣＱＩと、前記全帯域にわたるＳＴＣ（ｓｐａｃｅ  ｔｉｍｅ  ｃｏｄｉｎｇ）レートを示すワイドバンドＳＴＣと、前記全帯域にわたるＰＭＩ（ｐｒｅｆｅｒｒｅｄ  ｍａｔｒｉｘ  ｉｎｄｅｘ）を示すワイドバンドＰＭＩとをさらに含む、請求項１１に記載の機器。
【請求項１４】
無線通信システムにおいて基地局によってフィードバック情報を受信する方法であって、前記方法は、
固定のステーションである機器からレンジング要請メッセージを受信することであって、前記レンジング要請メッセージは、多重入出力（ＭＩＭＯ）技法のために使用される前記フィードバック情報を含む、ことと、
前記レンジング要請メッセージに応答して前記機器にレンジング応答メッセージを伝送することと
を含む、方法。
【請求項１５】
前記機器は、別の機器との通信を行うために必ずしも人間の相互作用を必要としない機器間通信（Ｍ２Ｍ）機器である、請求項１４に記載の方法。
【請求項１６】
前記フィードバック情報は、ＣＱＩ（ｃｈａｎｎｅｌ  ｑｕａｌｉｔｙ  ｉｎｄｉｃａｔｏｒ）、ＰＭＩ（ｐｒｅｆｅｒｒｅｄ  ｍａｔｒｉｘ  ｉｎｄｅｘ）及びＳＴＣ（ｓｐａｃｅ  ｔｉｍｅ  ｃｏｄｉｎｇ）のうちの少なくとも１つを含む、請求項１４に記載の方法。
【請求項１７】
前記フィードバック情報は、前記機器によって使用されるＭＩＭＯフィードバックモード（ＭＦＭ）を示すＭＦＭビットマップを含む、請求項１４に記載の方法。
【請求項１８】
１番目の最下位ビット（ＬＳＢ）が「１」と等しい場合、前記フィードバック情報は、全帯域にわたるＣＱＩ（ｃｈａｎｎｅｌ  ｑｕａｌｉｔｙ  ｉｎｄｉｃａｔｏｒ）の平均値を示すワイドバンドＣＱＩと、前記全帯域にわたるＳＴＣ（ｓｐａｃｅ  ｔｉｍｅ  ｃｏｄｉｎｇ）レートを示すワイドバンドＳＴＣとをさらに含む、請求項１７に記載の方法。
【請求項１９】
２番目の最下位ビット（ＬＳＢ）が「１」と等しい場合、前記フィードバック情報は、全帯域にわたるＣＱＩ（ｃｈａｎｎｅｌ  ｑｕａｌｉｔｙ  ｉｎｄｉｃａｔｏｒ）の平均値を示すワイドバンドＣＱＩと、前記全帯域にわたるＳＴＣ（ｓｐａｃｅ  ｔｉｍｅ  ｃｏｄｉｎｇ）レートを示すワイドバンドＳＴＣと、前記全帯域にわたるＰＭＩ（ｐｒｅｆｅｒｒｅｄ  ｍａｔｒｉｘ  ｉｎｄｅｘ）を示すワイドバンドＰＭＩとをさらに含む、請求項１７に記載の方法。
【請求項２０】
無線通信システムにおいてフィードバック情報を受信する基地局であって、機器は、
固定のステーションである機器からレンジング要請メッセージを受信するように構成された受信器であって、前記レンジング要請メッセージは、多重入出力（ＭＩＭＯ）技法のために使用される前記フィードバック情報を含み、前記機器は、固定のステーションである、受信器と、
前記レンジング要請メッセージに応答して前記機器にレンジング応答メッセージを伝送するように構成された送信器と
を含む、基地局。
【発明の詳細な説明】
【技術分野】
【０００１】
本発明は、広帯域無線通信システムにおいて端末のためのＭＩＭＯフィードバック情報送受信方法に関する。
【背景技術】
【０００２】
多重入出力（Ｍｕｌｔｉｐｌｅ  Ｉｎｐｕｔ  Ｍｕｌｔｉｐｌｅ  Ｏｕｔｐｕｔ；ＭＩＭＯ）技法は、基地局及び端末機で２個以上の送／受信アンテナを使って空間的に複数のデータストリーム（又はレイヤー）を同時に伝送することによってシステム容量を増加させる方式のことをいう。ＭＩＭＯ技法は、送信ダイバーシティ（ｄｉｖｅｒｓｉｔｙ）、空間多重化（Ｓｐａｔｉａｌ  Ｍｕｌｔｉｐｌｅｘｉｎｇ）又はビームフォーミング（Ｂｅａｍｆｏｒｍｉｎｇ）を含む。
【０００３】
送信ダイバーシティ技法は、複数個の送信アンテナを用いて同一のデータ情報を伝送することによって、受信機からのチャネル関連フィードバック情報なしにも、高い信頼度のデータ伝送を実現することができる。ビームフォーミング（Ｂｅａｍｆｏｒｍｉｎｇ）は、複数の送信アンテナのそれぞれに適した重み付け値をかけて、受信機の受信ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させるために用いられるもので、一般に、ＦＤＤ（Ｆｒｅｑｕｅｎｃｙ  Ｄｉｖｉｓｉｏｎ  Ｄｕｐｌｅｘｉｎｇ）システムでアップリンク／ダウンリンクのチャネルが独立しているから、好適なビームフォーミング利得を得るには信頼性の高いチャネル情報が必要であり、よって、受信機から別途のフィードバック（Ｆｅｅｄｂａｃｋ）を受けて使用する。
【０００４】
一方、空間多重化方式は、単一ユーザー及び多重ユーザーに対する空間多重化方式に分類される。単一ユーザーに対する空間多重化は、ＳＭ（Ｓｐａｔｉａｌ  Ｍｕｌｔｉｐｌｅｘｉｎｇ）或いはＳＵ−ＭＩＭＯ（Ｓｉｎｇｌｅ  Ｕｓｅｒ  ＭＩＭＯ）と呼ばれ、一つのユーザー（端末）に基地局の複数のアンテナリソースを全て割り当てる方式である。ここで、ＭＩＭＯチャネルの容量はアンテナ数に比例して増加する。一方、多重ユーザーに対する空間多重化は、ＳＤＭＡ（Ｓｐａｔｉａｌ  Ｄｉｖｉｓｉｏｎａｌ  Ｍｕｌｔｉｐｌｅ  Ａｃｃｅｓｓ）或いはＭＵ−ＭＩＭＯ（Ｍｕｌｔｉ−Ｕｓｅｒ  ＭＩＭＯ）と呼ばれ、複数のユーザー（端末）に基地局の複数のアンテナリソース又は無線空間リソースを分配する方式である。
【０００５】
ＭＩＭＯ技法を用いる場合に、同時に伝送されるＮ個のデータストリーム（又はレイヤー）を一つのチャネルエンコーディングブロックを用いて伝送する単一コードワード（Ｓｉｎｇｌｅ  ＣｏｄｅＷｏｒｄ；ＳＣＷ）方式と、Ｎ個のデータストリームをＭ（Ｍ≦Ｎ）個のチャネルエンコーディングブロックを用いて伝送する多重コードワード（Ｍｕｌｔｉｐｌｅ  ＣｏｄｅＷｏｒｄ；ＭＣＷ）方式がある。このとき、各チャネルエンコーディングブロックは独立したコードワードを（ＣｏｄｅＷｏｒｄ；ＣＷ）を生成し、各コードワードは独立したエラー検出が可能なように設計される。
【０００６】
機器間通信（Ｍａｃｈｉｎｅ  ｔｏ  Ｍａｃｈｉｎｅ；以下、Ｍ２Ｍ）は、文字通り、電子装置と電子装置間の通信を意味する。広義には、電子装置間の有線或いは無線通信や、人間が制御する装置と機械間の通信を意味する。しかし、最近では電子装置と電子装置間、すなわち、人間の関与無しで行われる機器間無線通信のことを指すのが一般的である。
【０００７】
Ｍ２Ｍ通信は、その概念が初めて導入された１９９０年代初期には、大体、遠隔調整やテレマティックスの概念として認識されたし、派生する市場自体も非常に限定されていたが、ここ数年高速成長を重ねながら全世界的に注目される市場へと成長してきた。特に、販売管理システム（ＰＯＳ、Ｐｏｉｎｔ  Ｏｆ  Ｓａｌｅｓ）と保安関連応用市場における物流管理（Ｆｌｅｅｔ  Ｍａｎａｇｅｍｅｎｔ）、機械及び設備の遠隔モニタリング、建設機械設備上の作動時間測定、及び熱や電気使用量を自動測定する知能検針（Ｓｍａｒｔ  Ｍｅｔｅｒ）などの分野で大きな影響力を発揮してきた。将来のＭ２Ｍ通信は、既存の移動通信、無線超高速インターネット、及びＷｉ−ＦｉやＺｉｇｂｅｅ（登録商標）などの小出力通信ソリューションと連係してより様々な用途に活用されることから、これまでのＢ２Ｂ（Ｂｕｓｉｎｅｓｓ  ｔｏ  Ｂｕｓｉｎｅｓｓ）市場に限らず、Ｂ２Ｃ（Ｂｕｓｉｎｅｓｓ  ｔｏ  Ｃｏｎｓｕｍｅｒ）市場へとその領域が拡大する見込みである。
【０００８】
Ｍ２Ｍ通信時代において、ＳＩＭ（Ｓｕｂｓｃｒｉｂｅｒ  Ｉｄｅｎｔｉｔｙ  Ｍｏｄｕｌｅ）カードを装着している機械はいずれもデータ送受信が可能であり、遠隔管理及び統制ができる。例えば、自動車、トラック、電車、コンテナ、自動販売機、ガスタンクなどを含む数多くの機器や装備にＭ２Ｍ通信技術が利用されるなど、その適用範囲は非常に広範囲である。
【０００９】
従来は主として端末を個別単位に管理し、基地局と端末間の通信は一対一通信方式で行われた。このような一対一通信方式で多数のＭ２Ｍ機器が基地局と通信するとすれば、Ｍ２Ｍ機器のそれぞれと基地局間に発生するシグナリングによりネットワーク過負荷が発生すると予想される。
【発明の概要】
【発明が解決しようとする課題】
【００１０】
本発明で達成しようとする技術的課題は、Ｍ２Ｍ（Ｍａｃｈｉｎｅ  ｔｏ  Ｍａｃｈｉｎｅ）機器が基地局と通信を行う方法及び装置を提供することである。
【００１１】
本発明で達成しようとする技術的課題は、基地局がＭ２Ｍ機器と通信を行う方法及び装置を提供することである。
【００１２】
本発明で達成しようとする技術的課題は、基地局と通信を行うＭ２Ｍ機器を提供することである。
【００１３】
本発明で達成しようとする技術的課題は、Ｍ２Ｍ機器と通信を行う基地局を提供することである。
【課題を解決するための手段】
【００１４】
本発明の一様相として、無線通信システムにおいて端末がＭＩＭＯ（Ｍｕｌｔｉｐｌｅ  Ｉｎｐｕｔ  Ｍｕｌｔｉｐｌｅ  Ｏｕｔｐｕｔ）フィードバック（ｆｅｅｄｂａｃｋ）情報を伝送する方法であって、基地局にレンジング要請メッセージを伝送することと、前記基地局から前記レンジング要請メッセージに対するレンジング応答メッセージを受信することと、を含み、前記端末は、固定（Ｆｉｘｅｄ）Ｍ２Ｍ（Ｍａｃｈｉｎｅ  ｔｏ  Ｍａｃｈｉｎｅ）機器であり、前記レンジング要請メッセージは、ＭＩＭＯフィードバック情報を含む、ＭＩＭＯフィードバック情報伝送方法が提供される。
【００１５】
本発明の他の様相として、無線通信システムにおいてＭＩＭＯ（Ｍｕｌｔｉｐｌｅ  Ｉｎｐｕｔ  Ｍｕｌｔｉｐｌｅ  Ｏｕｔｐｕｔ）フィードバック（ｆｅｅｄｂａｃｋ）情報を伝送する端末装置であって、受信器と、送信器と、前記受信器及び前記送信器を制御するように構成されたプロセッサと、を備え、前記プロセッサは、基地局にレンジング要請メッセージを伝送するように前記送信器を制御し、前記レンジング要請メッセージに対するレンジング応答メッセージを受信するように前記受信器を制御し、前記端末は固定（Ｆｉｘｅｄ）Ｍ２Ｍ機器であり、前記レンジング要請メッセージはＭＩＭＯフィードバック情報を含む、端末装置が提供される。
【００１６】
本発明のさらに他の様相として、無線通信システムにおいて基地局が端末からＭＩＭＯ（Ｍｕｌｔｉｐｌｅ  Ｉｎｐｕｔ  Ｍｕｌｔｉｐｌｅ  Ｏｕｔｐｕｔ）フィードバック（ｆｅｅｄｂａｃｋ）情報を受信する方法であって、前記端末からレンジング要請メッセージを受信することと、前記レンジング要請メッセージを用いてレンジング応答メッセージを前記端末に伝送することと、を含み、前記端末は、固定（Ｆｉｘｅｄ）Ｍ２Ｍ機器であり、前記レンジング要請メッセージは、ＭＩＭＯフィードバック情報を含む、ＭＩＭＯフィードバック情報受信方法が提供される。
【００１７】
本発明のさらに他の様相として、無線通信システムにおいて端末からＭＩＭＯ（Ｍｕｌｔｉｐｌｅ  Ｉｎｐｕｔ  Ｍｕｌｔｉｐｌｅ  Ｏｕｔｐｕｔ）フィードバック（ｆｅｅｄｂａｃｋ）情報を受信する基地局装置であって、受信器と、送信器と、前記受信器及び前記送信器を制御するように構成されたプロセッサと、を備え、前記プロセッサは、前記端末からレンジング要請メッセージを受信するように前記受信器を制御し、前記レンジング要請メッセージを用いてレンジング応答メッセージを前記端末に伝送するように前記送信器を制御し、前記端末は固定（Ｆｉｘｅｄ）Ｍ２Ｍ機器であり、前記レンジング要請メッセージはＭＩＭＯフィードバック情報を含む、基地局装置が提供される。
【００１８】
好適には、前記ＭＩＭＯフィードバック情報は、前記基地局からのダウンリンクチャネルを新しく測定して得られる新しいＭＩＭＯフィードバック情報である。
【００１９】
好適には、前記ＭＩＭＯフィードバック情報は、前記端末が最も最近に前記基地局に伝送したＭＩＭＯフィードバック情報である。
【００２０】
好適には、前記ＭＩＭＯフィードバック情報は、ＭＦＭビットマップ（ＭＦＭ  ｂｉｔｍａｐ）と、ＣＱＩ（Ｃｈａｎｎｅｌ  Ｑｕａｌｉｔｙ  Ｉｎｄｉｃａｔｏｒ）、ＳＴＣ（Ｓｐａｃｅ  Ｔｉｍｅ  Ｃｏｄｉｎｇ）、ＰＭＩ（Ｐｒｅｆｅｒｒｅｄ  Ｍａｔｒｉｘ  ｉｎｄｅｘ）のいずれか一つ以上と、を含む情報である。
本願明細書は、例えば、以下の項目も提供する。
（項目１）
無線通信システムにおいて端末がＭＩＭＯ（Ｍｕｌｔｉｐｌｅ  Ｉｎｐｕｔ  Ｍｕｌｔｉｐｌｅ  Ｏｕｔｐｕｔ）フィードバック（ｆｅｅｄｂａｃｋ）情報を伝送する方法であって、
基地局にレンジング要請メッセージを伝送することと、
前記基地局から前記レンジング要請メッセージに対するレンジング応答メッセージを受信することと、
を含み、
前記端末は、固定（Ｆｉｘｅｄ）Ｍ２Ｍ（Ｍａｃｈｉｎｅ  ｔｏ  Ｍａｃｈｉｎｅ）機器であり、前記レンジング要請メッセージは、ＭＩＭＯフィードバック情報を含む、ＭＩＭＯフィードバック情報伝送方法。
（項目２）
前記ＭＩＭＯフィードバック情報は、前記基地局からのダウンリンクチャネルを新しく測定して得られる新しいＭＩＭＯフィードバック情報である、項目１に記載のＭＩＭＯフィードバック情報伝送方法。
（項目３）
前記ＭＩＭＯフィードバック情報は、前記端末が最も最近に前記基地局に伝送したＭＩＭＯフィードバック情報である、項目１に記載のＭＩＭＯフィードバック情報伝送方法。
（項目４）
前記ＭＩＭＯフィードバック情報は、ＭＦＭビットマップ（ＭＦＭ  ｂｉｔｍａｐ）と、ＣＱＩ（Ｃｈａｎｎｅｌ  Ｑｕａｌｉｔｙ  Ｉｎｄｉｃａｔｏｒ）、ＳＴＣ（Ｓｐａｃｅ  Ｔｉｍｅ  Ｃｏｄｉｎｇ）、ＰＭＩ（Ｐｒｅｆｅｒｒｅｄ  Ｍａｔｒｉｘ  ｉｎｄｅｘ）のいずれか一つ以上と、を含む情報である、項目２又は３に記載のＭＩＭＯフィードバック情報伝送方法。
（項目５）
無線通信システムにおいて基地局が端末からＭＩＭＯ（Ｍｕｌｔｉｐｌｅ  Ｉｎｐｕｔ  Ｍｕｌｔｉｐｌｅ  Ｏｕｔｐｕｔ）フィードバック（ｆｅｅｄｂａｃｋ）情報を受信する方法であって、
前記端末からレンジング要請メッセージを受信することと、
前記レンジング要請メッセージを用いてレンジング応答メッセージを前記端末に伝送することと、
を含み、
前記端末は、固定（Ｆｉｘｅｄ）Ｍ２Ｍ機器であり、前記レンジング要請メッセージは、ＭＩＭＯフィードバック情報を含む、ＭＩＭＯフィードバック情報受信方法。
（項目６）
無線通信システムにおいてＭＩＭＯ（Ｍｕｌｔｉｐｌｅ  Ｉｎｐｕｔ  Ｍｕｌｔｉｐｌｅ  Ｏｕｔｐｕｔ）フィードバック（ｆｅｅｄｂａｃｋ）情報を伝送する端末であって、
受信器と、
送信器と、
前記受信器及び前記送信器を制御するように構成されたプロセッサと、
を備え、
前記プロセッサは、基地局にレンジング要請メッセージを伝送するように前記送信器を制御し、前記レンジング要請メッセージに対するレンジング応答メッセージを受信するように前記受信器を制御し、
前記端末は固定（Ｆｉｘｅｄ）Ｍ２Ｍ機器であり、前記レンジング要請メッセージはＭＩＭＯフィードバック情報を含む、端末。
（項目７）
前記ＭＩＭＯフィードバック情報は、前記基地局からのダウンリンクチャネルを新しく測定して得られる新しいＭＩＭＯフィードバック情報である、項目６に記載の端末。
（項目８）
前記ＭＩＭＯフィードバック情報は、前記端末が最も最近に前記基地局に伝送したＭＩＭＯフィードバック情報である、項目６に記載の端末。
（項目９）
前記ＭＩＭＯフィードバック情報は、ＭＦＭビットマップ（ＭＦＭ  ｂｉｔｍａｐ）と、ＣＱＩ（Ｃｈａｎｎｅｌ  Ｑｕａｌｉｔｙ  Ｉｎｄｉｃａｔｏｒ）、ＳＴＣ（Ｓｐａｃｅ  Ｔｉｍｅ  Ｃｏｄｉｎｇ）、ＰＭＩ（Ｐｒｅｆｅｒｒｅｄ  Ｍａｔｒｉｘ  ｉｎｄｅｘ）のいずれか一つ以上と、を含む情報である、項目７又は８に記載の端末。
（項目１０）
無線通信システムにおいて端末からＭＩＭＯ（Ｍｕｌｔｉｐｌｅ  Ｉｎｐｕｔ  Ｍｕｌｔｉｐｌｅ  Ｏｕｔｐｕｔ）フィードバック（ｆｅｅｄｂａｃｋ）情報を受信する基地局であって、
受信器と、
送信器と、
前記受信器及び前記送信器を制御するように構成されたプロセッサと、
を備え、
前記プロセッサは、前記端末からレンジング要請メッセージを受信するように前記受信器を制御し、前記レンジング要請メッセージを用いてレンジング応答メッセージを前記端末に伝送するように前記送信器を制御し、
前記端末は固定（Ｆｉｘｅｄ）Ｍ２Ｍ機器であり、前記レンジング要請メッセージはＭＩＭＯフィードバック情報を含む、基地局。
【発明の効果】
【００２１】
本発明の様々な実施の形態は、休止モード（Ｉｄｌｅ  ｍｏｄｅ）端末がネットワーク再進入（ｒｅｅｎｔｒｙ）時に、ダウンリンクＭＣＳ（Ｍｏｄｕｌａｔｉｏｎ  ａｎｄ  Ｃｏｄｉｎｇ  Ｓｃｈｅｍｅ）及び端末のＭＩＭＯモードを迅速に適用させるための方法に関する。
【００２２】
本発明によれば、ネットワーク進入／再進入方法によって、Ｍ２Ｍ機器は基地局に速かにネットワーク進入／再進入を行うことができる。
【００２３】
本発明によれば、不要なダウンリンク制御情報のオーバーヘッドを減らすことができる。
【００２４】
本発明によれば、従来の送信端伝送率を略同一に維持しながらも、フィードバックチャネルのリソースを節約することができる。また、送信端で最適の伝送率を具現することができる。
【００２５】
すなわち、本発明によれば、ユーザーの移動性がある環境下で、チャネル品質情報の不正確性及び不要なフィードバック伝送によるＡＭＣ方式の性能劣化を改善した、改善されたＡＭＣ方式を提供することができる。
【００２６】
本発明から得られる効果は、以上に言及した効果に制限されず、言及していない別の効果は、下の記載から、本発明の属する技術の分野における通常の知識を有する者には明らかになるであろう。
【図面の簡単な説明】
【００２７】
本発明に関する理解を助けるために詳細な説明の一部として含まれる添付の図面は、本発明の実施例を提供し、詳細な説明と共に本発明の技術的思想を説明する。
【図１】本発明の一実施の形態に係るＭ２Ｍ機器及び基地局の構成を概略的に示す図である。
【図２】本発明の一実施の形態に係る端末のネットワーク進入手順を示すフローチャートである。
【図３】本発明の一実施の形態に係る基地局のネットワーク進入手順を示すフローチャートである。
【図４】本発明の他の実施の形態に係る端末のネットワーク進入手順を示すフローチャートである。
【図５】本発明のさらに他の実施の形態に係る端末のネットワーク進入手順を示す図である。
【図６】本発明のさらに他の実施の形態に係る端末のネットワーク進入手順を示す図である。
【図７】本発明のさらに他の実施の形態に係る端末のネットワーク進入手順を示す図である。
【図８】本発明のさらに他の実施の形態に係る端末のネットワーク進入手順を示す図である。
【図９】本発明のさらに他の実施の形態に係る端末のネットワーク進入手順を示す図である。
【図１０】本発明のさらに他の実施の形態に係る端末のネットワーク進入手順を示す図である。
【図１１】本発明の一実施の形態に係る端末と基地局間のネットワーク進入手順を示すフローチャートである。
【図１２】本発明の他の実施の形態に係る端末と基地局間のネットワーク進入手順を示すフローチャートである。
【図１３】本発明のさらに他の実施の形態に係る端末と基地局間のネットワークを示すフローチャートである。
【発明を実施するための形態】
【００２８】
以下、本発明の好適な実施の形態を、添付の図面を参照して詳細に説明する。添付の図面と共に以下に開示される詳細な説明は、本発明の例示的な実施の形態を説明するためのもので、本発明が実施できる唯一の実施の形態を示すためのものではない。以下の詳細な説明は、本発明の完全な理解を提供するために具体的な細部事項を含む。しかし、このような具体的細部事項なしにも本発明が実施され得るということが当業者には理解される。
【００２９】
一方、いくつかの場合、本発明の概念が曖昧になることを避けるために、公知の構造及び装置は省略されたり、各構造及び装置の核心機能を中心にしたブロック図の形式で示される。また、本明細書全体を通じて同一の構成要素については同一の図面符号を付して説明する。
【００３０】
なお、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）、Ｍ２Ｍ（Ｍａｃｈｉｎｅ  ｔｏ  Ｍａｃｈｉｎｅ）機器など、移動又は固定型のユーザー端機器を総称するとする。また、基地局は、Ｎｏｄｅ  Ｂ、ｅＮｏｄｅ  Ｂ、ＢＳ（Ｂａｓｅ  Ｓｔａｔｉｏｎ）、ＡＢＳ（Ａｄｖａｎｃｅｄ  Ｂａｓｅ  Ｓｔａｔｉｏｎ）、ＡＰ（Ａｃｃｅｓｓ  Ｐｏｉｎｔ）など、端末と通信するネットワーク端の任意のノードを総称するとする。本明細書ではＩＥＥＥ  ８０２．１６ｅ／ｍに基づいて説明するが、発明の内容は、３ＧＰＰ  ＬＴＥ、ＬＴＥ−Ａシステムのような他の通信システムにも適用可能である。
【００３１】
以下でいうＭ２Ｍ機器間の通信は、端末同士の間、又は人間が介在しない基地局と各端末との間で行う情報交換を意味する。そのため、Ｍ２Ｍ機器（Ｄｅｖｉｃｅ）は、上記のようなＭ２Ｍ機器の通信の支援が可能な端末を意味する。Ｍ２Ｍサービスのための接続サービスネットワークは、Ｍ２Ｍ  ＡＳＮ（Ｍ２Ｍ  Ａｃｃｅｓｓ  Ｓｅｒｖｉｃｅ  Ｎｅｔｗｏｒｋ）と定義し、Ｍ２Ｍ機器と通信するネットワークエンティティをＭ２Ｍサーバーと呼ぶ。Ｍ２Ｍサーバーは、Ｍ２Ｍアプリケーションを行い、一つ以上のＭ２Ｍ機器のためのＭ２Ｍ特定サービスを提供する。Ｍ２Ｍフィーチャ（ｆｅａｔｕｒｅ）はＭ２Ｍアプリケーションの特徴であり、アプリケーションを提供する上で一つ以上の特徴を必要とすることがある。Ｍ２Ｍ機器グループは、共通の一つ以上の特徴を共有するＭ２Ｍ機器のグループを意味する。
【００３２】
Ｍ２Ｍ方式で通信する機器（Ｍ２Ｍ機器、Ｍ２Ｍ通信機器などのように様々に呼ばれてもよい。）は、それらの機器アプリケーションタイプ（Ｍａｃｈｉｎｅ  Ａｐｐｌｉｃａｔｉｏｎ  Ｔｙｐｅ）が増加するに従って一定のネットワークでその数が次第に増加すると予想される。論議されている機器アプリケーションタイプには、（１）保安（ｓｅｃｕｒｉｔｙ）、（２）治安（ｐｕｂｌｉｃ  ｓａｆｅｔｙ）、（３）トラッキング及びトレーシング（ｔｒａｃｋｉｎｇ  ａｎｄ  ｔｒａｃｉｎｇ）、（４）支払（ｐａｙｍｅｎｔ）、（５）健康管理（ｈｅａｌｔｈ  ｃａｒｅ）、（６）遠隔保守及び制御（ｒｅｍｏｔｅ  ｍａｉｎｔｅｎａｎｃｅ  ａｎｄ  ｃｏｎｔｒｏｌ）、（７）検針（ｍｅｔｅｒｉｎｇ）、（８）消費者装置（ｃｏｎｓｕｍｅｒ  ｄｅｖｉｃｅ）、（９）販売管理システム（ＰＯＳ、Ｐｏｉｎｔ  Ｏｆ  Ｓａｌｅｓ）と保安関連応用市場での物流管理（Ｆｌｅｅｔ  Ｍａｎａｇｅｍｅｎｔ）、（１０）自動販売機（Ｖｅｎｄｉｎｇ  Ｍａｃｈｉｎｅ）の機器間通信、（１１）機械及び設備の遠隔モニタリング、建設機械設備上の作動時間測定及び熱や電気使用量を自動測定する知能検針（Ｓｍａｒｔ  Ｍｅｔｅｒ）、（１２）監視カメラの監視ビデオ（Ｓｕｒｖｅｉｌｌａｎｃｅ  Ｖｉｄｅｏ）通信などがあるが、これに限定されず、その他の様々な機器アプリケーションタイプが論議されている。
【００３３】
このように機器アプリケーションタイプが増加するに従ってＭ２Ｍ通信機器の数は一般の移動通信機器の数に比べて飛躍的に増加するだろう。Ｍ２Ｍ機器の特性によって、基地局にトラフィックをロング−ターム（ｌｏｎｇ−ｔｅｒｍ）或いは周期的（ｐｅｒｉｏｄｉｃ）に伝送する場合もあり、イベントがトリガリングされてデータの伝送を行う場合もある。すなわち、Ｍ２Ｍ機器はたいてい遊休モードを維持し、周期になったりイベントがトリガリングされるとウェークアップして活性状態（Ａｃｔｉｖｅ  ｓｔａｔｅ）に進入することになる。そして、Ｍ２Ｍ機器の特性によって、移動性がないか又は少ないＭ２Ｍ機器（例えば、検針（ｍｅｔｅｒｉｎｇ）或いは自動販売機（ｖｅｎｄｉｎｇ  ｍａｃｈｉｎｅ））がある。移動性が非常に少ない或いは移動性がないということは、Ｍ２Ｍ機器が長時間固定している（ｓｔａｔｉｏｎａｒｙ）ことを意味する。Ｍ２Ｍ通信システムは、保安接続及び監視（ｓｅｃｕｒｅｄ  ａｃｃｅｓｓ  ａｎｄ  ｓｕｒｖｅｉｌｌａｎｃｅ）、治安（ｐｕｂｌｉｃ  ｓａｆｅｔｙ）、支払（ｐａｙｍｅｎｔ）、遠隔保守及び制御（ｒｅｍｏｔｅ  ｍａｉｎｔｅｎａｎｃｅ  ａｎｄ  ｃｏｎｔｒｏｌ）、検針（ｍｅｔｅｒｉｎｇ）などのような、固定した位置を持つＭ２Ｍ機器に関連した特定Ｍ２Ｍアプリケーションのための移動性−関連動作を単純化又は最適化することができる。また、移動性の大きいＭ２Ｍ機器（例えば、トラッキング及びトレーシング（ｔｒａｃｋｉｎｇ  ａｎｄ  ｔｒａｃｉｎｇ）或いは物流管理（Ｆｌｅｅｔ  Ｍａｎａｇｅｍｅｎｔ）のようなＭ２Ｍアプリケーションに関連したＭ２Ｍ機器）もある。Ｍ２Ｍ機器のアプリケーションタイプの継続した増加に従って同一の基地局内にこのようなＭ２Ｍ機器は数多く存在するようになるだろう。したがって、基地局は、遊休状態にある多数のＭ２Ｍ端末のランダムアクセスを円滑に支援する必要がある。
【００３４】
以下では、Ｍ２Ｍ通信がＩＥＥＥ  ８０２．１６ｅ／ｍに適用される場合を取り上げて本発明の実施例を説明する。しかし、本発明はこれに限定されず、本発明の実施例は３ＧＰＰ  ＬＴＥシステムなどの他のシステムにも同様の適用が可能である。
【００３５】
図１は、本発明の一実施の形態に係るＭ２Ｍ機器及び基地局の構成を概略的に示す図である。
【００３６】
図１で、Ｍ２Ｍ機器１００（或いは、Ｍ２Ｍ通信機器と称されてもよいが、以下ではＭ２Ｍ機器と称する）及び基地局１５０はそれぞれ、ＲＦユニット１１０，１６０、プロセッサ１２０，１７０、及び選択的にメモリー１３０，１８０を備えている。そして、各ＲＦユニット１１０，１６０は、送信器１１１，１６１及び受信器１１２，１６２を備えている。Ｍ２Ｍ機器１００を取り上げると、送信器１１１及び受信器１１２は、基地局１５０及び他のＭ２Ｍ機器と信号を送信及び受信するように構成され、プロセッサ１２０は、送信器１１１及び受信器１１２と機能的に接続されて、送信器１１１及び受信器１１２が他の機器と信号を送受信する過程を制御するように構成されるとよい。また、プロセッサ１２０は、伝送する信号について各種の処理を行って送信器１１１を介して伝送し、受信器１１２が受信した信号について処理を行ってもよい。必要によって、プロセッサ１２０は、交換されたメッセージに含まれた情報をメモリー１３０に保存してもよい。このような構造により、Ｍ２Ｍ機器１００は、以下に説明する様々な実施の形態に係る方法を行うことができる。一方、図１には示していないが、Ｍ２Ｍ機器１００は、その機器アプリケーションタイプによって様々な追加構成を備えてもよい。Ｍ２Ｍ機器１００が知能型計量のためのものであれば、Ｍ２Ｍ機器１００は電力測定などのための追加的な構成を備えるとよく、この電力測定動作は、図１に示したプロセッサ１２０に制御されてもよく、別に構成されたプロセッサ（図示せず）に制御されてもよい。
【００３７】
図１は、Ｍ２Ｍ機器１００と基地局１５０との間に通信が行われる場合を例示しているが、本発明に係るＭ２Ｍ通信方法は、Ｍ２Ｍ機器同士で発生してもよく、それぞれの機器は、図１に示した各装置構成と同一の形態をもって、後述する様々な実施の形態に係る方法を行えばよい。
【００３８】
基地局１５０の送信器１６１及び受信器１６２は、他の基地局、Ｍ２Ｍサーバー、Ｍ２Ｍ機器と信号を送信及び受信するように構成され、プロセッサ１７０は、送信器１６１及び受信器１６２と機能的に接続されて、送信器１６１及び受信器１６２が他の機器と信号を送受信する過程を制御するように構成されるとよい。また、プロセッサ１７０は、伝送する信号について各種処理を行って送信器１６１を介して伝送し、受信器１６２が受信した信号について処理を行ってもよい。必要によって、プロセッサ１７０は、交換されたメッセージに含まれた情報をメモリー１３０に保存してもよい。このような構造により、基地局１５０は、以下に説明する様々な実施の形態に係る方法を行うことができる。
【００３９】
Ｍ２Ｍ機器１１０及び基地局１５０のプロセッサ１２０，１７０はそれぞれ、Ｍ２Ｍ機器１１０及び基地局１５０における動作を指示（例えば、制御、調整、管理など）する。それぞれのプロセッサ１２０，１７０は、プログラムコード及びデータを保存するメモリー１３０，１８０に接続されるとよい。メモリー１３０，１８０は、プロセッサ１２０，１７０に接続して、オペレーティングシステム、アプリケーション、及び一般ファイル（ｇｅｎｅｒａｌ  ｆｉｌｅｓ）を保存する。
【００４０】
プロセッサ１２０，１７０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ばれてもよい。一方、プロセッサ１２０，１７０は、ハードウェア（ｈａｒｄｗａｒｅ）、ファームウェア（ｆｉｒｍｗａｒｅ）、ソフトウェア、又はそれらの結合により具現されてもよい。ハードウェアを用いて本発明の実施例を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）又はＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１２０，１７０に備えられてもよい。
【００４１】
一方、ファームウェアやソフトウェアを用いて本発明の実施例を具現する場合には、本発明の機能又は動作を実行するモジュール、手順又は関数などを含むようにファームウェアやソフトウェアが構成されるとよく、本発明を実行できるように構成されたファームウェア又はソフトウェアは、プロセッサ１２０，１７０内に設けられてもよく、メモリー１３０，１８０に保存されてプロセッサ１２０，１７０により駆動されてもよい。
【００４２】
上述したようにＭ２Ｍ通信が急激に拡散されて広範囲化する場合、Ｍ２Ｍ機器同士又はＭ２Ｍ機器と基地局間の通信によるオーバーヘッド（ｏｖｅｒｈｅａｄ）が問題になることがある。したがって、Ｍ２Ｍ通信方式の特性を考慮してこのようなオーバーヘッドの問題を效率的に解決するには、Ｍ２Ｍ機器のリソース割当を效率的に行う必要がある。そこで、余計なＭＡＰオーバーヘッドを減らすための方法を提案する。
【００４３】
ＡＭＣ（Ａｄａｐｔｉｖｅ  Ｍｏｄｕｌａｔｉｏｎ  ａｎｄ  Ｃｏｄｉｎｇ）方式は、チャネル状態に応じて変調及びコーディング方式（ｍｏｄｕｌａｔｉｏｎ  ａｎｄ  ｃｏｄｉｎｇ  ｓｃｈｅｍｅ；ＭＣＳ）を動的に（ｄｙｎａｍｉｃａｌｌｙ）変える方式である。一般に、受信器がチャネル状態を観察し、適切なＭＣＳを選択し、該ＭＣＳを送信器側にフィードバックする。ＡＭＣ方式によれば、多重経路フェージング（ｆａｄｉｎｇ）やユーザーの移動によるチャネル品質の変動をある程度補償することができる。ＭＣＳを決定するのに使われる一般的な基準（ｃｒｉｔｅｒｉｏｎ）の一つには、チャネル品質を推定することがある。チャネル品質を推定し、目標ＱｏＳ（ｑｕａｌｉｔｙ  ｏｆ  ｓｅｒｖｉｃｅ）の制限下に伝送率を最大にできる最適のＭＣＳを選択する。一般に、チャネル品質は信号対雑音比（ｓｉｇｎａｌ−ｔｏ−ｎｏｉｓｅ  ｒａｔｉｏ；ＳＮＲ）で表す。
【００４４】
一般に、ＡＭＣをはじめとし、フィードバックを用いてシステムの性能を高める技法は、データ伝送が行われる度に、受信端からチャネル状態及びユーザーの移動速度などのフィードバック情報が伝送される場合に最高の性能を発揮する。しかし、データ伝送の度にフィードバック情報が伝送されるとフィードバックチャネルに過負荷が発生するため、特に多重接続システムではチャネルリソースを效果的に分配することができなくなる。
【００４５】
このような問題点を解決するために、従来、チャネル状況を考慮することなく、あらかじめ設定された周期に従ってフィードバックを行う方式が提案された。しかし、この方式は、チャネルやユーザーの移動速度が大きく変わらない状況でも、一定周期になるとフィードバック情報を計算して伝送しなければならず、受信端及びフィードバックチャネルに不要な負荷が発生する。また、この従来の方式は、チャネルやユーザーの移動速度が大きく変わる状況でも、一定周期にならないとフィードバック情報を伝送してもらえず、以前のフィードバック情報を使用するしかないため、システム劣化が発生することがあった。
【００４６】
そこで、従来のフィードバック方式に比べて、送信端の伝送量（ｔｈｒｏｕｇｈｐｕｔ）を維持しながらも、フィードバックされる情報量を效果的に減らし得る方案が望まれる。
【００４７】
図２は、既存のＩＥＥＥ  ８０２．１６ｍシステムにおいて端末と基地局間のネットワーク進入（或いは再進入）を行う手順を示す図である。
【００４８】
図２で、端末がネットワーク進入又は再進入（ｎｅｔｗｏｒｋ  ｅｎｔｒｙ  ｏｒ  ｒｅｅｎｔｒｙ）を行った後に、基地局がＦｅｅｄｂａｃｋ  ａｌｌｏｃａｔｉｏｎ  Ａ−ＭＡＰ  ＩＥやｆｅｅｄｂａｃｋ  ｐｏｌｌｉｎｇ  Ａ−ＭＡＰ  ＩＥを端末に伝送して、端末に必要な速いフィードバック制御チャネル（ｆａｓｔ  ｆｅｅｄｂａｃｋ  ｃｏｎｔｒｏｌ  ｃｈａｎｎｅｌ）を割り当てる。端末は、割り当てられたフィードバックチャネルを介して、ＭＩＭＯ（Ｍｕｌｔｉｐｌｅ  Ｉｎｐｕｔ  Ｍｕｌｔｉｐｌｅ  Ｏｕｔｐｕｔ）及びチャネル状態に関連したフィードバック情報（ｆｅｅｄｂａｃｋ  ｉｎｆｏｒｍａｔｉｏｎ）を基地局に伝送する。基地局は、端末から受信したＭＩＭＯ情報（ｉｎｆｏｒｍａｔｉｏｎ）を用いて、リソースを割り当てる時、端末のダウンリンク（ＤＬ）ＭＩＭＯモードやＭＣＳを決定して適切な値に設定する。基地局は端末にＦｅｅｄｂａｃｋ  ａｌｌｏｃａｔｉｏｎ  Ａ−ＭＡＰ  ＩＥを用いてアップリンク制御チャネル（ＵＬ  ＣＣＨ）をフィードバックチャネルとして割り当て、ｆｅｅｄｂａｃｋ  ｐｏｌｌｉｎｇ  Ａ−ＭＡＰ  ＩＥを用いてアップリンク共用チャネル（ＵＬ  ＳＣＨ）又はアップリンク制御チャネル（ＵＬ  ＣＣＨ）のヘッダーをフィードバックチャネルとして割り当てる。
【００４９】
図２を参照すると、端末は基地局に初期レンジング又はハンドオーバーレンジングを伝送する（以下では、端末が初期レンジングを伝送するとして説明する）。初期レンジング（ｉｎｉｔｉａｌ  ｒａｎｇｉｎｇ）は、端末が基地局と正確なタイミングオフセット（ｔｉｍｉｎｇ  ｏｆｆｓｅｔ）を得、初期に伝送電力を調整するための過程である。通常、端末の電源がオン（ＯＮ）になると、端末は、受信されるダウンリンクプリアンブル信号からダウンリンク同期を獲得する。続いて、端末はアップリンクタイミングオフセットと伝送電力を調整するために初期レンジングを行う。端末は、レンジングチャネルを選択した後、レンジングプリアンブルコードを初期レンジングドメインから選択し、選択したレンジングチャネルを通じて基地局に選択したレンジングプリアンブルコードを伝送する（Ｓ２０１）。
【００５０】
すると、基地局は、端末の初期レンジング又はハンドオーバーレンジング伝送に対する受信確認応答メッセージを端末に伝送すればよい（Ｓ２０２）。この応答メッセージは、レンジング確認（ＡＡＩ−ＲＮＧ−ＡＣＫ）メッセージと定義可能である。レンジング確認（ＡＡＩ−ＲＮＧ−ＡＣＫ）メッセージは、全てのレンジング機会でレンジングプリアンブルコードを全て成功的に受信して検出したという応答を提供するメッセージである。基地局は、レンジング確認（ＡＡＩ−ＲＮＧ−ＡＣＫ）メッセージに初期レンジング又はハンドオーバーレンジングに対する３種類の可能なレンジング状態（ｒａｎｇｉｎｇ  ｓｔａｔｕｓ）を含めて端末に伝送することができる。ここで、レンジング確認（ＡＡＩ−ＲＮＧ−ＡＣＫ）メッセージに含まれた３種類の可能なレンジング状態には、「ｃｏｎｔｉｎｕｅ」、「ｓｕｃｃｅｓｓ」、「ａｂｏｒｔ」がある。
【００５１】
初期レンジング又はハンドオーバーレンジングに対するレンジング状態が「ｓｕｃｃｅｓｓ」であると、基地局は端末にレンジング要請（ＡＡＩ−ＲＮＧ−ＲＥＱ）メッセージ伝送に必要な情報をＣＤＭＡ割当Ａ−ＭＡＰ  ＩＥ（ＣＤＭＡ  Ａｌｌｏｃａｔｉｏｎ  Ａ−ＭＡＰ  ＩＥ）を通じて伝送すればよい。すなわち、基地局は、ＣＤＭＡ割当Ａ−ＭＡＰ  ＩＥ（ＣＤＭＡ  Ａｌｌｏｃａｔｉｏｎ  Ａ−ＭＡＰ  ＩＥ）メッセージを通じて端末にレンジング要請伝送などのためのアップリンクリソース割当情報を提供する。端末が基地局にレンジングを伝送すると、基地局はリソースインデックス（ｒｅｓｏｕｒｃｅ  ｉｎｄｅｘ）フィールドなどを通じて、レンジング要請メッセージ伝送のために割り当てたアップリンクリソース情報を端末に伝送することができる。端末が基地局からＣＤＭＡ割当Ａ−ＭＡＰ  ＩＥ（ＣＤＭＡ  Ａｌｌｏｃａｔｉｏｎ  Ａ−ＭＡＰ  ＩＥ）を受信すると、端末は基地局にレンジングを要請するメッセージを伝送する（Ｓ２０３）。その後、端末は基地局からレンジング要請メッセージに対する応答としてレンジング応答メッセージを受信可能である（Ｓ２０４）。端末は基地局にＳＢＣ−ＲＥＱメッセージを伝送し、端末は基地局にＳＢＣ−ＲＳＰメッセージを受信可能である（Ｓ２０５、Ｓ２０６）。端末は基地局に登録要請（ＲＥＧ−ＲＥＱ）メッセージを伝送し、端末は基地局から登録応答（ＲＥＧ−ＲＳＰ）メッセージを受信可能である（Ｓ２０７、Ｓ２０８）。基地局はＣＤＭＡ割当Ａ−ＭＡＰ  ＩＥ（ＣＤＭＡ  Ａｌｌｏｃａｔｉｏｎ  Ａ−ＭＡＰ  ＩＥ）メッセージを通じて端末にレンジング要請伝送などのためのアップリンクリソース割当情報を提供する（Ｓ２０９）。端末はチャネル及びＭＩＭＯフィードバック情報を基地局に伝送可能である（Ｓ２１０）。
【００５２】
しかしながら、Ｍ２Ｍシステムにおいて知能検針機（ｓｍａｒｔ  ｍｅｔｅｒｉｎｇ）や自動販売機（ｖｅｎｄｉｎｇ  ｍａｃｈｉｎｅ）のような大部分のＭ２Ｍ機器（ｄｅｖｉｃｅ）は移動することなく所定の位置に固定している。このように固定した（ｆｉｘｅｄ）状態のＭ２Ｍ機器（ｄｅｖｉｃｅ）のチャネル状態は、ほとんど変化せずに一定に維持されるのが大部分である。このように端末のチャネル変化がほとんどないと、端末が使用するＭＣＳ（ＤＩＵＣ：Ｄｏｗｎｌｉｎｋ  Ｉｎｔｅｒｖａｌ  Ｕｓａｇｅ  Ｃｏｄｅ／ＵＩＵＣ：Ｕｐｌｉｎｋ  Ｉｎｔｅｒｖａｌ  Ｕｓａｇｅ  Ｃｏｄｅ）やＭＩＭＯ情報（例えば、Ｍａｔｒｉｘ情報）は、長期間にわたって変更しないだろう。このような場合に、基地局がＦｅｅｄｂａｃｋ  ａｌｌｏｃａｔｉｏｎ  Ａ−ＭＡＰ  ＩＥやｆｅｅｄｂａｃｋ  ｐｏｌｌｉｎｇ  Ａ−ＭＡＰ  ＩＥを通じて固定端末に周期的にフィードバックのためのリソースを割り当てることは、不要なフィードバックオーバーヘッド増加を招く他、端末がフィードバックチャネルの割当を受けて基地局にチャネル及びＭＩＭＯフィードバック（ｆｅｅｄｂａｃｋ）情報を伝送するまで基地局は端末のＭＩＭＯモードを設定できず、スケジューリングの効率性が低下する問題を招く。
【００５３】
そこで、固定した端末にリソースを割り当てる時、不要なＭＡＰオーバーヘッドを減らす方法が望まれる。以下では、Ｍ２Ｍ通信がＩＥＥＥ  ８０２．１６ｍシステムに適用される場合を挙げて本発明の実施例を説明する。
【００５４】
図２を参照すると、端末は、レンジング過程を経てネットワーク進入又は再進入（ｎｅｔｗｏｒｋ  ｅｎｔｒｙ  ｏｒ  ｒｅｅｎｔｒｙ）を行った後に、割り当てられたフィードバックチャネルを通じてＭＩＭＯ（Ｍｕｌｔｉｐｌｅ  Ｉｎｐｕｔ  Ｍｕｌｔｉｐｌｅ  Ｏｕｔｐｕｔ）及びチャネル状態に関連したフィードバック情報（ｆｅｅｄｂａｃｋ  ｉｎｆｏｒｍａｔｉｏｎ）を基地局に伝送する。
【００５５】
しかし、固定した（ｆｉｘｅｄ）Ｍ２Ｍ端末は、チャネル状態がほとんど変わらず、一定に維持されるのが大部分であるため、周期的にフィードバックのためのリソース割当は、不要なオーバーヘッド増加を招く。そこで、本発明では、端末がネットワーク進入を行う時、レンジング要請メッセージにＭＩＭＯフィードバック情報を含めて伝送する。
【００５６】
図３は、本発明の実施例に係る、固定Ｍ２Ｍ機器がネットワーク進入（或いは再進入）を行う時のフィードバック過程を示すフローチャートである。該当のフィードバック情報を用いてＭ２Ｍ機器のＭＩＭＯモードを迅速に使用してスケジューリング効率性を向上させる方法を提供する。そのために、端末はネットワーク進入（或いは再進入）を行う時、レンジング要請（ＡＡＩ−ＲＮＧ−ＲＥＱ）メッセージを伝送する時、レンジング要請（ＡＡＩ−ＲＮＧ−ＲＥＱ）メッセージにＭＩＭＯフィードバック（ｆｅｅｄｂａｃｋ）情報を含めて基地局に伝送する。ここで、ＭＩＭＯフィードバック情報は、端末がどのようなＭＩＭＯフィードバックモード（ＭＩＭＯ  Ｆｅｅｄｂａｃｋ  Ｍｏｄｅ（ＭＦＭ））を支援できるかに関する情報と、それぞれの情報によってＣＱＩ（Ｃｈａｎｎｅｌ  Ｑｕａｌｉｔｙ  Ｉｎｄｉｃａｔｏｒ）、ＳＴＣ（Ｓｐａｃｅ  Ｔｉｍｅ  Ｃｏｄｉｎｇ）、ＰＭＩ（Ｐｒｅｆｅｒｒｅｄ  Ｍａｔｒｉｘ  ｉｎｄｅｘ）のうち一つ以上と、を含む情報を表す。基地局は、固定端末からＭＩＭＯフィードバック情報（ｆｅｅｄｂａｃｋ  ｉｎｆｏｒｍａｔｉｏｎ）が含まれたレンジング要請（ＡＡＩ−ＲＮＧ−ＲＥＱ）メッセージを受信すると、端末から受信した情報に基づいて、ダウンリンクデータ（又はバースト）伝送時にＭＣＳとＭＩＭＯ情報を適切に設定する。特に、レンジング要請（ＡＡＩ−ＲＮＧ−ＲＥＱ）メッセージに対する応答としてＡＡＩ−ＲＮＧ−ＲＳＰを伝送する時に、上記端末から受信した情報に基づいて、該当バースト伝送に関するＭＣＳとＭＩＭＯ情報を適切に設定する。ＡＡＩ−ＲＮＧ−ＲＳＰを含むバーストに関するＭＣＳとＭＩＭＯ情報を設定するために、ＭＩＭＯ情報とＭＣＳ情報がＣＤＭＡ−Ａｌｌｏｃａｔｉｏｎ  Ａ−ＭＡＰ  ＩＥに含まれて伝送される。また、基地局は、端末から受信した情報が適切でないと判断すると、端末がネットワーク進入（或いは再進入）を完了した後、端末にＦｅｅｄｂａｃｋ  ａｌｌｏｃａｔｉｏｎ  Ａ−ＭＡＰ  ＩＥやＦｅｅｄｂａｃｋ  ｐｏｌｌｉｎｇ  Ａ−ＭＡＰ  ＩＥを用いてアップリンクフィードバックチャネルを割り当てる。
【００５７】
端末がネットワーク進入（再進入）を行う時（Ｓ３０１）、当該端末が固定端末であると（Ｓ３０２、Ｙｅｓ）、ＭＩＭＯフィードバック情報（例えば、Ｗｉｄｅｂａｎｄ  ＣＱＩ、Ｗｉｄｅｂａｎｄ  ＳＴＣ、Ｗｉｄｅｂａｎｄ  ＰＭＩ（Ｐｅｒｆｅｒｅｄ  Ｍａｔｒｉｘ  Ｉｎｄｅｘ）など）をレンジング要請（ＡＡＩ−ＲＮＧ−ＲＥＱ）メッセージに含めて伝送する（Ｓ３０３）。基地局からレンジング応答（ＡＡＩ−ＲＮＧ−ＲＳＰ）メッセージを受信し、以降のネットワーク進入（再進入）過程を行う（Ｓ３０５）。もし、固定端末でないと（Ｓ３０２、Ｎｏ）、既存のノーマル（ｎｏｒｍａｌ）ネットワーク進入（再進入）過程を行えばよい（Ｓ３０４）。
【００５８】
図４は、本発明の実施例に係る、基地局が端末のネットワーク進入（或いは再進入）時にフィードバックを行う過程を示すフローチャートである。
【００５９】
基地局は端末からレンジング要請（ＡＡＩ−ＲＮＧ−ＲＥＱ）メッセージを受信した時（Ｓ４０１）、レンジング要請（ＡＡＩ−ＲＮＧ−ＲＥＱ）メッセージにＭＩＭＯフィードバック情報が含まれていると（Ｓ４０２、Ｙｅｓ）、含まれたＭＩＭＯフィードバック情報を用いてレンジング応答（ＡＡＩ−ＲＮＧ−ＲＳＰ）メッセージを送信し（Ｓ４０３）、以降のネットワーク進入手順を行う（Ｓ４０５）。もし、レンジング要請（ＡＡＩ−ＲＮＧ−ＲＥＱ）メッセージにＭＩＭＯフィードバック情報が含まれていないと（Ｓ４０２、Ｎｏ）、既存の方法でレンジング応答（ＡＡＩ−ＲＮＧ−ＲＳＰ）メッセージを伝送した後、以降のネットワーク進入（再進入）手順を行う（Ｓ４０４）。
【００６０】
図５は、本発明の他の実施例に係る、Ｍ２Ｍ機器がネットワーク進入（或いは再進入）を行う時のフィードバック過程を示すフローチャートである。
【００６１】
ネットワーク進入（又は再進入）手順において（Ｓ５０１）、固定端末か移動端末かによらず、端末はレンジング要請（ＡＡＩ−ＲＮＧ−ＲＥＱ）メッセージにＭＩＭＯフィードバック情報を含めて伝送し（Ｓ５０２）、基地局からのレンジング応答（ＡＡＩ−ＲＮＧ−ＲＳＰ）メッセージを待つ。その後、以降のネットワーク進入（再進入）手順を行う（Ｓ５０３）。
【００６２】
図６は、本発明のさらに他の実施例に係る、Ｍ２Ｍ機器がネットワーク進入（或いは再進入）を行う時のフィードバック過程を示すフローチャートである。
【００６３】
ネットワーク進入（又は再進入）手順において（Ｓ６０１）、固定端末か移動端末かによらず、端末がレンジング要請（ＡＡＩ−ＲＮＧ−ＲＥＱ）メッセージに含めるＭＩＭＯフィードバック情報は、端末が最後に基地局に伝送したフィードバック情報に該当する。最後に使用したフィードバック情報をレンジング要請（ＡＡＩ−ＲＮＧ−ＲＥＱ）メッセージに含めて基地局に伝送し（Ｓ６０２）、基地局からのレンジング応答（ＡＡＩ−ＲＮＧ−ＲＳＰ）メッセージを待つ。その後、以降のネットワーク進入（再進入）手順を行う（Ｓ６０３）。
【００６４】
図７は、本発明のさらに他の実施例に係る、Ｍ２Ｍ機器がネットワーク進入（或いは再進入）を行う時のフィードバック過程を示すフローチャートである。
【００６５】
端末は、ネットワーク進入（再進入）時に（Ｓ７０１）、ダウンリンクチャネルを測定した後（Ｓ７０２）、測定したＭＩＭＯフィードバック情報をレンジング要請（ＡＡＩ−ＲＮＧ−ＲＥＱ）メッセージに含めて伝送し（Ｓ７０３）、基地局からのレンジング応答（ＡＡＩ−ＲＮＧ−ＲＳＰ）メッセージを待つ。その後、以降のネットワーク進入（再進入）手順を行う（Ｓ７０４）。
【００６６】
図８は、本発明のさらに他の実施例に係る固定Ｍ２Ｍ機器がネットワーク進入（或いは再進入）を行う時のフィードバック過程を示すフローチャートである。
【００６７】
端末はネットワーク進入（再進入）手順を始める（Ｓ８０１）。端末が固定端末であると（Ｓ８０２、Ｙｅｓ）、最後に使用したＭＩＭＯフィードバック情報をレンジング要請（ＡＡＩ−ＲＮＧ−ＲＥＱ）メッセージに含めて伝送し（Ｓ８０３）、基地局からのレンジング応答（ＡＡＩ−ＲＮＧ−ＲＳＰ）メッセージを待つ。その後、以降のネットワーク進入（再進入）過程を行う（Ｓ８０５）。端末が固定端末でないと（Ｓ８０２、Ｎｏ）、既存ノーマル（Ｎｏｒｍａｌ）ネットワーク進入（再進入）手順を行う（Ｓ８０４）。
【００６８】
図９は、本発明のさらに他の実施例に係る、固定Ｍ２Ｍ機器がネットワーク進入（或いは再進入）を行う時のフィードバック過程を示すフローチャートである。
【００６９】
端末はネットワーク進入（再進入）手順を始める（Ｓ９０１）。端末が固定端末であると（Ｓ９０２、Ｙｅｓ）、ダウンリンクチャネルを測定した後（Ｓ９０３）、測定したＭＩＭＯフィードバック情報をレンジング要請（ＡＡＩ−ＲＮＧ−ＲＥＱ）メッセージに含めて伝送し（Ｓ９０４）、基地局からのレンジング応答（ＡＡＩ−ＲＮＧ−ＲＳＰ）メッセージを待つ。その後、以降のネットワーク進入（再進入）過程を行う（Ｓ９０５）。端末が固定端末でないと（Ｓ９０２、Ｎｏ）、既存ノーマル（Ｎｏｒｍａｌ）ネットワーク進入（再進入）手順を行う（Ｓ９０６）。
【００７０】
図１０は、本発明のさらに他の実施例に係る、固定Ｍ２Ｍ機器がネットワーク進入（或いは再進入）を行う時のフィードバック過程を示すフローチャートである。
【００７１】
端末はネットワーク進入（再進入）手順を始める（Ｓ１００１）。端末が固定端末であると（Ｓ１００２、Ｙｅｓ）、最後に使用したＭＩＭＯフィードバック情報をレンジング要請（ＡＡＩ−ＲＮＧ−ＲＥＱ）メッセージに含めて伝送し（Ｓ１００３）、基地局からのレンジング応答（ＡＡＩ−ＲＮＧ−ＲＳＰ）メッセージを待つ。その後、以降のネットワーク進入（再進入）過程を行う（Ｓ１００６）。端末が固定端末でないと（Ｓ１００２、Ｎｏ）、ダウンリンクチャネルを測定した後（Ｓ１００４）、測定したＭＩＭＯフィードバック情報をレンジ要請（ＡＡＩ−ＲＮＧ−ＲＥＱ）メッセージに含めて伝送し（Ｓ１００５）、基地局からのレンジング応答（ＡＡＩ−ＲＮＧ−ＲＳＰ）メッセージを待つ。その後、以降のネットワーク進入（再進入）過程を行う（Ｓ１００６）。
【００７２】
図１１は、本発明の一実施の形態に係る端末と基地局間のネットワーク進入手順を示すフローチャートである。
【００７３】
端末はネットワーク進入（又は再進入）のためのレンジングコード（Ｒａｎｇｉｎｇ  ｃｏｄｅ）を基地局に伝送する（Ｓ１１０１）。基地局はレンジング確認成功メッセージを端末に伝送する（Ｓ１１０２）。端末がレンジング要請（ＡＡＩ−ＲＮＧ−ＲＥＱ）メッセージにＭＩＭＯ情報（ＣＱＩ、ＰＭＩ、ＳＴＣなど）を含めて伝送すると（Ｓ１１０３）、基地局は、レンジング応答（ＡＡＩ−ＲＮＧ−ＲＳＰ）メッセージを送る時から、ＣＤＭＡ割当Ａ−ＭＡＰ  ＩＥ（ＣＤＭＡ  Ａｌｌｏｃａｔｉｏｎ  Ａ−ＭＡＰ  ＩＥ）にＭＩＭＯエンコーディングフォーマット（ＭＩＭＯ  Ｅｎｃｏｄｉｎｇ  Ｆｏｒｍａｔ；ＭＥＦ）や伝送アンテナ数（Ｍｔ）を含めて端末に好適なＭＩＭＯモードを適用し（Ｓ１１０４）、ダウンリンクデータを伝送することができる（Ｓ１１０５）。ＭＩＭＯエンコーディングフォーマット（ＭＩＭＯ  Ｅｎｃｏｄｉｎｇ  Ｆｏｒｍａｔ；ＭＥＦ）は、ＳＦＢＣ（Ｓｐａｃｅ  Ｆｒｅｑｕｅｎｃｙ  Ｂｌｏｃｋ  Ｃｏｄｉｎｇ）や垂直エンコーディング（Ｖｅｒｔｉｃａｌ  ｅｎｃｏｄｉｎｇ）であってよい。
【００７４】
表１は、端末がＭＩＭＯフィードバック情報を含めて伝送するレンジング要請（ＡＡＩ−ＲＮＧ−ＲＥＱ）メッセージの一例である。
【００７５】
ここで、ＭＦＭ（ＭＩＭＯ  Ｆｅｅｄｂａｃｋ  Ｍｏｄｅ）ビットマップ（ｂｉｔｍａｐ）は、端末がフィードバックを伝送するためのＭＩＭＯフィードバックモード（ＭＩＭＯ  Ｆｅｅｄｂａｃｋ  Ｍｏｄｅ）を表すビットマップを意味する。
【００７６】
ｗｉｄｅｂａｎｄ  ＣＱＩ（Ｃｈａｎｎｅｌ  Ｑｕａｌｉｔｙ  Ｉｎｄｉｃａｔｏｒ）は、全帯域にわたる一つのＣＱＩ平均値であり、ｓｕｂｂａｎｄ  ＣＱＩは、部分帯域（ｓｕｂｂａｎｄ）にわたる一つのＣＱＩ平均値である。Ｗｉｄｅｂａｎｄ  ＳＴＣ（Ｓｐａｃｅ  Ｔｉｍｅ  Ｃｏｄｉｎｇ）は、全帯域にわたる空間時間コーディング（ＳＴＣ）である。Ｗｉｄｅｂａｎｄ  ＰＭＩ（Ｐｒｅｆｅｒｒｅｄ  Ｍａｔｒｉｘ  Ｉｎｄｅｘ）は、全帯域にわたる好ましいマトリクスインデックス（ＰＭＩ）である。ＭＦＭビットマップによって、ｗｉｄｅｂａｎｄ  ＣＱＩ、Ｗｉｄｅｂａｎｄ  ＳＴＣ、Ｗｉｄｅｂａｎｄ  ＰＭＩなどを含めて伝送すればよい。
【００７７】
【表１−１】
0005634639.tif 000002
【００７８】
【表１−２】
0005634639.tif 000003
レンジング要請（ＲＮＧ−ＲＥＱ）メッセージを通じてＭＩＭＯフィードバック情報を受信した基地局は、ＣＤＭＡ割当Ａ−ＭＡＰ  ＩＥ（ＣＤＭＡ  Ａｌｌｏｃａｔｉｏｎ  Ａ−ＭＡＰ  ＩＥ）を通じてレンジング応答（ＡＡＩ−ＲＮＧ−ＲＳＰ）メッセージを伝送する時、ＣＤＭＡ割当Ａ−ＭＡＰ  ＩＥ（ＣＤＭＡ  Ａｌｌｏｃａｔｉｏｎ  Ａ−ＭＡＰ  ＩＥ）に端末に好適なＭＩＭＯモード情報を含めて伝送することができる。すなわち、ＣＤＭＡ割当Ａ−ＭＡＰ  ＩＥ（ＣＤＭＡ  Ａｌｌｏｃａｔｉｏｎ  Ａ−ＭＡＰ  ＩＥ）を通じてレンジング応答（ＡＡＩ−ＲＮＧ−ＲＳＰ）メッセージを伝送する時、端末に好適なＭＩＭＯモードを適用する。
【００７９】
表２には、本発明のために修正されたＣＤＭＡ割当Ａ−ＭＡＰ  ＩＥ（ＣＤＭＡ  Ａｌｌｏｃａｔｉｏｎ  Ａ−ＭＡＰ  ＩＥ）の一例を示す。既存には割り当てられなかったＣＤＭＡ＿Ａｌｌｏｃａｔｉｏｎ＿Ａ−ＭＡＰ  ＩＥの８ビットを用いてＭＩＭＯエンコーディングフォーマット（ＭＩＭＯ  Ｅｎｃｏｄｉｎｇ  Ｆｏｒｍａｔ；ＭＥＦ）や伝送アンテナ数（Ｍｔ）を含めることで端末に好適なＭＩＭＯモードを適用してダウンリンクデータを伝送することができる。
【００８０】
【表２−１】
0005634639.tif 000004
【００８１】
【表２−２】
0005634639.tif 000005
下記の表３には、レンジング要請（ＡＡＩ−ＲＮＧ−ＲＥＱ）メッセージの一例を示す。
【００８２】
ＭＩＭＯフィードバックモードによって端末は様々なＭＩＭＯフィードバック情報を含めることができる。
【００８３】
【表３】
0005634639.tif 000006
下記の表４には、レンジング要請（ＡＡＩ−ＲＮＧ−ＲＥＱ）メッセージの他の例を示す。
【００８４】
表４では、ワイドバンド（ｗｉｄｅｂａｎｄ）に関する情報を選択的に送るためにＭＦＭビットマップ（ｂｉｔｍａｐ）を使用したし、１に設定されたビットに該当するフィードバック情報のみを含めて伝送する。
【００８５】
【表４−１】
0005634639.tif 000007
【００８６】
【表４−２】
0005634639.tif 000008
表５は、レンジング要請（ＡＡＩ−ＲＮＧ−ＲＥＱ）メッセージのさらに他の例を表すものである。端末は、Ｗｉｄｅｂａｎｄ  ＣＱＩ情報のみを送り、この情報を用いて基地局が使用できるＭＩＭＯエンコーダ（ｅｎｃｏｄｅｒ）フォーマット（ｆｏｒｍａｔ）は、ＳＦＢＣ（Ｓｐａｃｅ  Ｆｒｅｑｕｅｎｃｙ  Ｂｌｏｃｋ  Ｃｏｄｉｎｇ）になるだろう。
【００８７】
【表５】
0005634639.tif 000009
移動性（Ｍｏｂｉｌｉｔｙ）のない端末などは、チャネル変化がよく発生しないため、基地局によるｆｅｅｄｂａｃｋ  ａｌｌｏｃａｔｉｏｎ  Ａ−ＭＡＰ  ＩＥやｆｅｅｄｂａｃｋ  ｐｏｌｌｉｎｇ  Ａ−ＭＡＰ  ＩＥの伝送によって周期的に割り当てられたリソースを用いてチャネル品質フィードバック（ｃｈａｎｎｅｌ  ｑｕａｌｉｔｙ  ｆｅｅｄｂａｃｋ）やＭＩＭＯフィードバックを伝送するのではなく、端末が該当の情報を変更する必要がある場合にのみ端末のイベント（ｅｖｅｎｔ）によって該当のフィードバック情報を伝送するように基地局が設定してもよい。
【００８８】
そのために、基地局は、端末がネットワーク進入（ｎｅｔｗｏｒｋ  ｅｎｔｒｙ）を行う場合に、能力交渉（ｃａｐａｂｉｌｉｔｙ  ｎｅｇｏｔｉａｔｉｏｎ）時に、（ＳＢＣ−ＲＳＰ又はレンジング応答（ＲＥＧ−ＲＳＰ）メッセージを通じて）端末のフィードバックモードを設定して端末に知らせればよい。もし当該端末のフィードバックモードがイベントトリガーされた（ｅｖｅｎｔ  ｔｒｉｇｇｅｒｅｄ）方法であれば、端末は、定められた条件に対するイベントが発生した時、基地局にチャネル品質フィードバック（ｃｈａｎｎｅｌ  ｑｕａｌｉｔｙ  ｆｅｅｄｂａｃｋ）やＭＩＭＯフィードバック伝送のためにＭＩＭＯフィードバックヘッダー（ＭＦＨ）又はＡＡＩ−ＳＢＳ−ＭＩＭＯ−ＦＢＫメッセージを伝送するだろう。
【００８９】
表６は、ＡＡＩ−ＳＢＣ−ＲＳＰメッセージフィールドの一例を表すものである。
【００９０】
ＭＦＭ指示子（ＭＦＭ  ｉｎｄｉｃａｔｏｒ）は、ＡＡＩ−ＳＢＣ−ＲＳＰメッセージに含まれて伝送されることがある。ＭＩＭＯフィードバックモード（ｆｅｅｄｂａｃｋ  ｍｏｄｅ）を表す値として、ＭＦＭ指示子（ＭＦＭ  ｉｎｄｉｃａｔｏｒ）が０の場合は、基地局のポーリング（ｐｏｌｌｉｎｇ）によってＭＩＭＯフィードバックを行い、ＭＦＭ指示子（ＭＦＭ  ｎｄｉｃａｔｏｒ）が１の場合は、イベントトリガーされた方式でＭＩＭＯフィードバックを行う。
【００９１】
【表６】
0005634639.tif 000010
表７は、レンジング応答（ＡＡＩ−ＲＥＧ−ＲＳＰ）メッセージフィールドの一例を表すものである。
【００９２】
ＭＦＭ指示子（ＭＦＭ  ｉｎｄｉｃａｔｏｒ）は、レンジング応答（ＡＡＩ−ＲＥＧ−ＲＳＰ）メッセージに含まれて伝送されることもある。
【００９３】
【表７】
0005634639.tif 000011
以上提示された実施例は、ＩＥＥＥ  ８０２．１６ｍシステムにおいてレンジング要請（ＡＡＩ−ＲＮＧ−ＲＥＱ）メッセージ及びＣＤＭＡ割当Ａ−ＭＡＰ  ＩＥ（ＣＤＭＡ  Ａｌｌｏｃａｔｉｏｎ  Ａ−ＭＡＰ  ＩＥ）などにＭＩＭＯフィードバック情報を含めて基地局に伝送することによって、不要なフィードバックオーバーヘッドを減らすことができる方法に該当する。
【００９４】
表８は、既存のシステム（例えば、８０２．１６ｅ又は８０２．１６ｍ）におけるリソース割当マップＩＥの一例を表すものである。基地局が端末にダウンリンク又はアップリンクリソースを割り当てるために下り制御チャネル（ＤＬ  ｃｏｎｔｒｏｌ  ｃｈａｎｎｅｌ）でマップメッセージ及びＭＡＰ  ＩＥ（例えば、８０２．１６ｅではＤＬ−ＭＡＰ、ＵＬ−ＭＡＰ、Ｓｕｂ−ＤＬ−ＵＬ−ＭＡＰ  ＩＥ又は圧縮ＭＡＰ（Ｃｏｍｐｒｅｓｓｅｄ  ＭＡＰ）などの各種マップメッセージ及びＭＡＰ  ＩＥ、８０２．１６ｍではＵＬ  ｂａｓｉｃ  ａｓｓｉｇｎｍｅｎｔ  Ａ−ＭＡＰ  ＩＥ、ＵＬ  Ｂａｓｉｃ  ａｓｓｉｇｎｍｅｎｔ  Ａ−ＭＡＰ  ＩＥなどの各種ａｓｓｉｇｎｍｅｎｔ  Ａ−ＭＡＰ  ＩＥ）を利用する。
【００９５】
表８には、８０２．１６ｅでＭＩＭＯモードを有する端末にリソースを割り当てるとき、ＭＩＭＯ情報を搬送するために使用されるマップＩＥの一例を示す。表８は、既存のＩＥＥＥ  １６−２００９システムの専用ＭＩＭＯダウンリンク制御ＩＥ（Ｄｅｄｉｃａｔｅｄ  ＭＩＭＯ  ＤＬ  Ｃｏｎｔｒｏｌ  ＩＥ）フォーマット（ｆｏｒｍａｔ）に該当する。
【００９６】
【表８】
0005634639.tif 000012
以下では、Ｍ２Ｍ通信がＩＥＥＥ  ８０２．１６ｅシステムに適用される場合を挙げて本発明の実施例を説明する。ＩＥＥＥ  ８０２．１６ｅシステムでは、一つのＭＡＰメッセージを通じてＭＩＭＯ情報が伝達されるため、ジョイントコーディング（ｊｏｉｎｔ  ｃｏｄｉｎｇ）が用いられる。これに対し、ＩＥＥＥ  ８０２．１６ｍシステムでは、それぞれのＭＡＰメッセージを別々にコーディングする分離されたコーディング技法（ｓｅｐａｒａｔｅ  ｃｏｄｉｎｇ）が用いられる。
【００９７】
以下に提案するＩＥＥＥ  ８０２．１６ｅシステムにおいて、本発明に係る端末と基地局の動作を、図１２に示す。端末は基地局にネットワーク再進入のためのレンジングコードを伝送する（Ｓ１２０１）。端末がレンジング要請（ＡＡＩ−ＲＮＧ−ＲＥＱ）にＭＩＭＯ情報（ＣＱＩ、ＰＭＩ、ＳＴＣなど）を含めて伝送すると、基地局は、レンジング応答（ＡＡＩ−ＲＮＧ−ＲＳＰ）メッセージを伝送する時から、ＣＤＭＡ割当Ａ−ＭＡＰ  ＩＥ（ＣＤＭＡ  Ａｌｌｏｃａｔｉｏｎ  Ａ−ＭＡＰ  ＩＥ）にＭＩＭＯエンコーディングフォーマット（Ｅｎｃｏｄｉｎｇ  ｆｏｒｍａｔ）や伝送アンテナの数（Ｍｔ）を含めることで端末に適切なＭＩＭＯモードを適用し、ダウンリンクデータを伝送することができる（Ｓ１２０３乃至Ｓ１２０６）。
【００９８】
本発明では、固定した（ｆｉｘｅｄ）端末（又はＭ２Ｍ機器）が休止モード（Ｉｄｌｅ  ｍｏｄｅ）から接続モード（ｃｏｎｎｅｃｔｅｄ  ｍｏｄｅ）に切り替わるとき、基地局が迅速にチャネル状況を適用し、適切なＭＩＭＯモードを用いてダウンリンクトラフィックを伝送できる方法を提案する。
【００９９】
既存には、端末がネットワーク進入（ｎｅｔｗｏｒｋ  ｅｎｔｒｙ）した後、基地局がＦｅｅｄｂａｃｋ  Ａｌｌｏｃａｔｉｏｎ  Ａ−ＭＡＰ  ＩＥやｆｅｅｄｂａｃｋ  ｐｏｌｌｉｎｇ  Ａ−ＭＡＰ  ＩＥを用いて端末に初期速いフィードバック制御チャネル（ｐｒｉｍａｒｙ  ｆａｓｔ  ｆｅｅｄｂａｃｋ  ｃｏｎｔｒｏｌ  ｃｈａｎｎｅｌ）を割り当て、端末が割り当てられたチャネルでＭＩＭＯ関連の速いフィードバック情報（ｆａｓｔ  ｆｅｅｂａｃｋ  ｉｎｆｏｒｍａｔｉｏｎ）を基地局に伝送した。基地局は端末から受信したＭＩＭＯ情報（ＭＩＭＯ  ｉｎｆｏｒｍａｔｉｏｎ）を用いて、リソースを割り当てる時、端末のＭＩＭＯモードを設定する。しかし、この方法は、基地局が端末にフィードバックチャネルを割り当てて端末からフィードバック情報を受けるまで、基地局が端末のＭＩＭＯモードを速く設定できないという問題があった。
【０１００】
本発明において、端末は、ネットワーク再進入（ｎｅｔｗｏｒｋ  ｒｅｅｎｔｒｙ）によいてより速くＭＩＭＯモードを適用するために、レンジング要請（ＲＮＧ−ＲＥＱ）メッセージを伝送する時、レンジング要請（ＲＮＧ−ＲＥＱ）メッセージにＭＩＭＯモード及びチャネル情報を含めて基地局に伝送する。
【０１０１】
端末がネットワーク再進入（ｎｅｔｗｏｒｋ  ｒｅｅｎｔｒｙ）を行う時、当該端末が移動性のない属性を有すると、端末は、レンジング要請（ＲＮＧ−ＲＥＱ）メッセージにＭＩＭＯ情報（ＣＱＩ（ＤＬ  ｅｆｆｅｃｔｉｖｅ  ＣＩＮＲ（Ｃａｒｒｉｅｒ  ｔｏ  Ｉｎｔｅｒｆａｃｅ  Ｒａｔｉｏ））、Ｍａｔｒｉｘ  ｉｎｄｉｃａｔｏｒなど）を含めて伝送してもよい。このとき、ＣＱＩは、ＤＬ  ｅｆｆｅｃｔｉｖｅ  ＣＩＮＲ（Ｃａｒｒｉｅｒ  ｔｏ  Ｉｎｔｅｒｆａｃｅ  Ｒａｔｉｏ）値を表し、マトリクス指示子（Ｍａｔｒｉｘ  ｉｎｄｉｃａｔｏｒ）は、端末が支援するマトリクス情報（Ｍａｔｒｉｘ  Ａか又はＭａｔｒｉｘ  Ｂか）を表す（Ｓ１２０３）。基地局は、レンジング要請（ＲＮＧ−ＲＥＱ）メッセージに対するレンジング応答（ＲＮＧ−ＲＳＰ）メッセージを送る時から（Ｓ１２０６）、全てのダウンリンクバースト（ＤＬ  ｂｕｒｓｔ）について当該ＭＩＭＯ情報を用いることができる（Ｓ１２０５）。
【０１０２】
表９は、レンジング要請（ＲＮＧ−ＲＥＱ）メッセージに含まれるＭＩＭＯフィードバック情報（ＭＩＭＯ  ｆｅｅｄｂａｃｋ  ｉｎｆｏｒｍａｔｉｏｎ）ＴＬＶの一例を示す。
【０１０３】
表９は、基地局が、端末のレンジング（ＲＮＧ）過程中にレンジング要請（ＲＮＧ−ＲＥＱ）メッセージを通じて端末に関するＭＩＭＯフィードバック情報（ＭＩＭＯ  ｆｅｅｄｂａｃｋ  ｉｎｆｏｒｍａｔｉｏｎ）を受信すると、該情報を用いてダウンリンクバースト（例えば、ＲＮＧ−ＲＳＰなど）に対して、ダウンリンクバーストプロファイル（ＤＬ  ｂｕｒｓｔ  ｐｒｏｆｉｌｅ）、すなわち、ＭＣＳ及びダウンリンクＭＩＭＯモード（ＤＬ  ＭＩＭＯ  ｍｏｄｅ）であるマトリクス指示子（Ｍａｔｒｉｘ  ｉｎｄｉｃａｔｏｒ）を決定することができる。
【０１０４】
【表９】
0005634639.tif 000013
表１０は、レンジング要請（ＲＮＧ−ＲＥＱ）メッセージに含まれるＭＩＭＯフィードバック情報（ＭＩＭＯ  ｆｅｅｄｂａｃｋ  ｉｎｆｏｒｍａｔｉｏｎ）ＴＬＶの他の例を表すものである。
【０１０５】
ＭＩＭＯフィードバック情報（ＭＩＭＯ  ｆｅｅｄｂａｃｋ  ｉｎｆｏｒｍａｔｉｏｎ）は、端末がレンジング要請（ＲＮＧ−ＲＥＱ）メッセージを伝送する時、該メッセージに含める情報である。
【０１０６】
【表１０】
0005634639.tif 000014
表１１は、レンジング要請（ＲＮＧ−ＲＥＱ）メッセージに含まれるＭＩＭＯチャネルフィードバック情報（ＭＩＭＯ  ｃｈａｎｎｅｌ  ｆｅｅｄｂａｃｋ  ｉｎｆｏｒｍａｔｉｏｎ）の一例を表すものである。
【０１０７】
【表１１−１】
0005634639.tif 000015
【０１０８】
【表１１−２】
0005634639.tif 000016
以下に提案するＩＥＥＥ  ８０２．１６ｅシステムでは、基地局が固定した（ｆｉｘｅｄ）端末にリソースを割り当てる時、基地局はＭＡＰに、端末が使用するＭＣＳ情報（ＤＩＵＣ／ＵＩＵＣ）及びＭＩＭＯ情報（Ｍａｔｒｉｘ）が、最近に送ったＭＣ情報及びＭＩＭＯ情報と同一である場合は、最近に送った情報を利用するように指示する指示子（ｉｎｄｉｃａｔｉｏｎ）をマップ（ＭＡＰ）に含めて伝送する方法を提案する。固定した状態で機器（ｄｅｖｉｃｅ）のチャネル変化はほとんど発生せず、よって、端末が使用するＭＣＳ（ＤＩＵＣ／ＵＩＵＣ）やＭＩＭＯ情報（マトリクス情報）は長時間変更しないだろう。そのため、基地局がリソースを割り当てる度にマトリクス（Ｍａｔｒｉｘ）情報やＭＣＳ情報を含めることは、不要なマップオーバーヘッドとなることがある。そこで、移動性（ｍｏｂｉｌｉｔｙ）のない端末又はＭ２Ｍ機器（ｄｅｖｉｃｅ）に效率的にリソースを割り当てる方法を提案する。ＩＥＥＥ  ８０２．１６ｍシステムと違い、ＩＥＥＥ  ８０２．１６ｅでは、ＣＤＭＡ  Ａｌｌｏｃａｔｉｏｎ  ＩＥがアップリンク（ＵＬ）にのみ用いられるため、ＭＩＭＯフィードバック情報を伝送しない。端末は、ＭＩＭＯフィードバック情報をレンジング要請（ＲＮＧ−ＲＥＱ）メッセージにのみ含めて基地局に伝送する点で異なる。
【０１０９】
図１３は、本発明のさらに他の実施例に係る、固定Ｍ２Ｍ機器がネットワーク進入（或いは再進入）を行う時のフィードバック手順を示すフローチャートである。
【０１１０】
基地局が固定端末にリソースを割り当てる時、基地局は、端末が使用するＭＣＳ情報（ＤＩＵＣ：Ｄｏｗｎｌｉｎｋ  Ｉｎｔｅｒｖａｌ  Ｕｓａｇｅ  Ｃｏｄｅ／ＵＩＵＣ：Ｕｐｌｉｎｋ  Ｉｎｔｅｒｖａｌ  Ｕｓａｇｅ  Ｃｏｄｅ）及びＭＩＭＯ情報（Ｍａｔｒｉｘ）が、最近に送ったＭＣ情報及びＭＩＭＯ情報と同一である場合は、最近に送った情報を利用するように指示する指示（ｉｎｄｉｃａｔｉｏｎ）をＭＡＰに含めて伝送する（Ｓ１３０１）。この場合、明示的なＭＣ情報及びＭＩＭＯ情報は含まれない。しかし、基地局は、端末が使用するＭＣ情報及びＭＩＭＯ情報が、最近に送ったＭＣ情報及びＭＩＭＯ情報と異なる場合は、明示的なＭＣ情報及びＭＩＭＯ情報をマップ（ＭＡＰ）含めて伝送する（Ｓ１３０２）。この場合、ＭＡＰメッセージに含まれたマトリクス（Ｍａｔｒｉｘ）情報を利用すればいい。
【０１１１】
以下の表１２乃至表１７は、固定したＭ２Ｍ機器のリソース割当のために、既存に定義されたＤＬ／ＵＬ  ＨＡＲＱ  ＭＡＰ  ＩＥにおいて最後のＭＣＳ指示子（Ｌａｓｔ  ＭＣＳ  ｉｎｄｉｃａｔｉｏｎ）と最後のＭＩＭＯ指示子（Ｌａｓｔ  ＭＩＭＯ  ｉｎｄｉｃａｔｉｏｎ）を含めて修正されたマップ（ＭＡＰ）を表すものである。
【０１１２】
表１２は、ダウンリンクＨＡＲＱチェースサブバースト（ＤＬ  ＨＡＲＱ  Ｃｈａｓｅ  Ｓｕｂｂｕｒｓｔ）ＩＥフォーマットを表すものである。
【０１１３】
表１２で、以前のバーストと同一のＤＩＵＣは、以前の割当においてサブバーストＤＩＵＳ指示子（ｓｕｂｂｕｒｓｔ  ＤＩＵＣ  Ｉｎｄｉｃａｔｏｒ）が１であり、最後のＤＩＵＣ指示子（Ｌａｓｔ  ＤＩＵＣ  ｉｎｄｉｃａｔｏｒ）が１に設定されたＤＩＵＣ情報を除いて、最も最近のＤＩＵＣ情報を示す。現在使用されるＤＩＵＣ情報と当該端末が最も最近に使用したＤＩＵＣ情報とが同一であれば、Ｌａｓｔ  ＤＩＵＣ  ｉｎｄｉｃａｔｏｒは０に設定される。Ｌａｓｔ  ＤＩＵＣ  ｉｎｄｉｃａｔｏｒが１に設定されると、ＤＩＵＣ情報は異なり、ＤＩＵＣ情報がこのサブバーストのために割り当てられる。
【０１１４】
【表１２】
0005634639.tif 000017
表１３は、ＤＬ  ＨＡＲＱ  ＩＲ  ＣＣ  Ｓｕｂｂｕｒｓｔ  ＩＥフォーマットを表すものである。
【０１１５】
表１２と同様に、以前バーストと同一のＤＩＵＣは、以前割当においてサブバーストＤＩＵＳ指示子（ｓｕｂｂｕｒｓｔ  ＤＩＵＣ  Ｉｎｄｉｃａｔｏｒ）が１であり、最後のＤＩＵＣ指示子（Ｌａｓｔ  ＤＩＵＣ  ｉｎｄｉｃａｔｏｒ）が１に設定されたＤＩＵＣ情報を除いて、最も最近のＤＩＵＣ情報を示す。現在使用されるＤＩＵＣ情報と当該端末が最も最近に使用したＤＩＵＣ情報とが同一であれば、Ｌａｓｔ  ＤＩＵＣ  ｉｎｄｉｃａｔｏｒは０に設定される。１に設定されると、ＤＩＵＣ情報は異なり、ＤＩＵＣ情報がこのサブバーストのために割り当てられる。
【０１１６】
【表１３】
0005634639.tif 000018
表１４は、ＭＩＭＯ  ＤＬ  Ｃｈａｓｅ  ＨＡＲＱ  Ｓｕｂｂｕｒｓｔ  ＩＥフォーマットの一例を表すものである。
【０１１７】
Ｌａｓｔ  ＤＩＵＣ  ｉｎｄｉｃａｔｏｒは、現在使用されるＤＩＵＣ情報と当該端末が最も最近に使用したＤＩＵＣ情報とが同一であれば、０に設定される。Ｌａｓｔ  ＤＩＵＣ  ｉｎｄｉｃａｔｏｒが１に設定されると、ＤＩＵＣ情報は異なり、ＤＩＵＣ情報がこのサブバーストのために割り当てられる。
【０１１８】
【表１４】
0005634639.tif 000019
表１５は、ＭＩＭＯ  ＤＬ  ＩＲ  ＨＡＲＱ  ｆｏｒ  ＣＣ  Ｓｕｂｂｕｒｓｔ  ＩＥフォーマットの一例を表すものである。
【０１１９】
Ｌａｓｔ  ＤＩＵＣ  ｉｎｄｉｃａｔｏｒは、現在使用されるＤＩＵＣ情報と該当端末が最も最近に使用したＤＩＵＣ情報とが同一であれば、０に設定される。Ｌａｓｔ  ＤＩＵＣ  ｉｎｄｉｃａｔｏｒが１に設定されると、ＤＩＵＣ情報は異なり、ＤＩＵＣ情報がこのサブバーストのために割り当てられる。
【０１２０】
【表１５】
0005634639.tif 000020
表１６は、ＭＩＭＯ  ＤＬ  ＳＴＣ  ＨＡＲＱ  Ｓｕｂｂｕｒｓｔ  ＩＥフォーマットの一例を表すものである。
【０１２１】
最後のＤＩＵＣ指示子（Ｌａｓｔ  ＤＩＵＣ  ｉｎｄｉｃａｔｏｒ）は、現在使用されるＤＩＵＣ情報と該当端末が最も最近に使用したＤＩＵＣ情報とが同一であれば、０に設定される。最後のＤＩＵＣ指示子（Ｌａｓｔ  ＤＩＵＣ  ｉｎｄｉｃａｔｏｒ）が１に設定されると、ＤＩＵＣ情報は異なり、ＤＩＵＣ情報がこのサブバーストのために割り当てられる。
【０１２２】
【表１６】
0005634639.tif 000021
表１７は、Ｄｅｄｉｃａｔｅｄ  ＭＩＭＯ  ＤＬ  Ｃｏｎｔｒｏｌ  ＩＥフォーマットの一例を表すものである。
【０１２３】
現在使用されるＭＩＭＯ制御情報（ＭＩＭＯ  Ｃｏｎｔｒｏｌ  Ｉｎｆｏ  ＆  Ｃｌｏｓｅｄ  ＭＩＭＯ  Ｃｏｎｔｒｏｌ  Ｉｎｆｏ）と該当端末が最も最近に使用したＭＩＭＯ情報とが同一であり、ＣＱＩ制御情報（ＣＱＩ  Ｃｏｎｔｒｏｌ  Ｉｎｆｏ）が割り当てられないと、最後のＭＩＭＯ情報指示子（Ｌａｓｔ  ＭＩＭＯ  Ｉｎｆｏ  ｉｎｄｉｃａｔｏｒ）は０に設定される。最後のＭＩＭＯ情報指示子（Ｌａｓｔ  ＭＩＭＯ  Ｉｎｆｏ  ｉｎｄｉｃａｔｏｒ）が１に設定されると、ＣＱＩ制御情報（ＣＱＩ  Ｃｏｎｔｒｏｌ  Ｉｎｆｏ）、ＭＩＭＯ制御情報（ＭＩＭＯ  Ｃｏｎｔｒｏｌ  Ｉｎｆｏ）、Ｃｌｏｓｅｄ  ＭＩＭＯ制御情報（Ｃｌｏｓｅｄ  ＭＩＭＯ  Ｃｏｎｔｒｏｌ  Ｉｎｆｏ）が含まれて伝送される。
【０１２４】
【表１７】
0005634639.tif 000022
上のような情報を含む固定したＭ２Ｍ機器のために、新しいマップを定義することができる。新しく定義されたマップのフィールドは、上で修正したＭＡＰ  ＩＥと同一であろう。下記の表１８、表１９は、新しいマップを表すものである。
【０１２５】
表１８は、Ｍ２Ｍ  ＨＡＲＱ  ＤＬ  ＭＡＰ  ＩＥフォーマットの一例を表すものである。
【０１２６】
【表１８】
0005634639.tif 000023
表１９は、Ｍ２Ｍ  ＤＬ  ＨＡＲＱ  Ｃｈａｓｅ  Ｓｕｂｂｕｒｓｔ  ＩＥフォーマットの一例を表すものである。
【０１２７】
ここで、以前バーストと同一のＤＩＵＣは、以前割当においてｓｕｂｂｕｒｓｔ  ＤＩＵＣ  Ｉｎｄｉｃａｔｏｒが１であり、最後のＤＩＵＣ指示子（Ｌａｓｔ  ＤＩＵＣ  ｉｎｄｉｃａｔｏｒ）が１に設定されたＤＩＵＣ情報を除いて、最も最近のＤＩＵＣ情報を示す。現在使用されるＤＩＵＣ情報と該当端末が最も最近に使用したＤＩＵＣ情報とが同一であれば、最後のＤＩＵＣ指示子（Ｌａｓｔ  ＤＩＵＣ  ｉｎｄｉｃａｔｏｒ）は０に設定される。最後のＤＩＵＣ指示子（Ｌａｓｔ  ＤＩＵＣ  ｉｎｄｉｃａｔｏｒ）が１に設定されると、ＤＩＵＣ情報は異なり、ＤＩＵＣ情報がこのサブバーストのために割り当てられる。
【０１２８】
【表１９】
0005634639.tif 000024
その他の新しいＨＡＲＱ  ｓｕｂｂｕｒｓｔ  ＩＥはＤＬ＿ＨＡＲＱ＿Ｃｈａｓｅ＿Ｓｕｂｂｕｒｓｔ＿ＩＥと同様に、上の既存サブバーストＩＥ（ｓｕｂｂｕｒｓｔ  ＩＥ）と類似の形態を有するので、詳細なフォーマットは省略する。上で省略された部分は、既存のマップＩＥに含まれた情報を再使用すればいいので、本発明では省略する。
【０１２９】
また、アップリンクリソース割当においても、ＭＣＳ（ＵＩＵＣ）及びＭＩＭＯ情報がダウンリンクにおける方法と同様に適用されるとよい。
【０１３０】
以上説明したような本発明は、図１のＭ２Ｍ機器１００及び基地局１５０に適用することができる。図１を参照すると、Ｍ２Ｍ機器１００のプロセッサ１２０は、前述した本発明の実施例に係るＭＩＭＯフィードバック情報を含むようにレンジング要請メッセージを構成し、該レンジング要請メッセージを基地局１５０に伝送するように、送信器１１１を制御することができる。また、プロセッサ１２０は、レンジング要請メッセージに対するレンジング応答メッセージを基地局１５０から受信するように受信器１１２を制御でき、該レンジング応答メッセージに基づいて基地局１５０に対してネットワーク進入手順を行うこともできる。基地局１５０のプロセッサ１７０は、Ｍ２Ｍ機器１００からＭＩＭＯフィードバック情報を含むレンジング要請メッセージを受信するように受信器１６２を制御することができる。また、プロセッサ１７０は、レンジング要請メッセージを用いてレンジング応答メッセージをＭ２Ｍ機器１００に伝送するように送信器１６１を制御することもできる。
【０１３１】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更可能である。ある実施例の一部構成や特徴は、別の実施例に含まれることもでき、別の実施例の対応する構成又は特徴に取って代わることもできる。特許請求の範囲において明示的な引用関係にない請求項を結合して実施例を構成したり、出願後の補正により新しい請求項として含めたりすることができることは明らかである。
【０１３２】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。
【図１】
0005634639.tif 000025
【図２】
0005634639.tif 000026
【図３】
0005634639.tif 000027
【図４】
0005634639.tif 000028
【図５】
0005634639.tif 000029
【図６】
0005634639.tif 000030
【図７】
0005634639.tif 000031
【図８】
0005634639.tif 000032
【図９】
0005634639.tif 000033
【図１０】
0005634639.tif 000034
【図１１】
0005634639.tif 000035
【図１２】
0005634639.tif 000036
【図１３】
0005634639.tif 000037